(57)【要約】  本発明による電子装置は、受信部、信号処理部、ディスプレイ部及び制御部を備える。受信部は、第１プロトコルの第１放送信号及び該第１放送信号とは異なる方式で伝送される第２プロトコルの第２放送信号を受信する。信号処理部は、受信された放送信号に含まれたコンテンツを処理する。ディスプレイ部は、処理されたコンテンツを表示する。制御部は、受信された放送信号のプロトコル情報に基づいて、受信された放送信号が第１放送信号であれば、第１放送信号に第１プロトコルに対応する前処理を行い、受信された放送信号が第２放送信号であれば、第２放送信号に第２プロトコルに対応する前処理を行い、受信された放送信号に含まれたコンテンツに関する再生情報に基づいて、受信された放送信号から抽出されたコンテンツに対して単一方式のデコーディングを行うように信号処理部を制御する。これによって、不要な過程無しで受信された放送信号を処理してコンテンツを提供し、信号処理効率が向上する。
2020511826.tif 000002
【特許請求の範囲】
【請求項１】
電子装置であって、
第１プロトコルの第１放送信号及び該第１放送信号とは異なる方式で伝送される第２プロトコルの第２放送信号を受信する受信部と、
受信された放送信号に含まれたコンテンツを処理する信号処理部と、
前記処理されたコンテンツを表示するディスプレイ部と、
受信された放送信号のプロトコル情報に基づいて、前記受信された放送信号が前記第１放送信号であれば、前記第１放送信号に前記第１プロトコルに対応する前処理を行い、前記受信された放送信号が前記第２放送信号であれば、前記第２放送信号に前記第２プロトコルに対応する前処理を行い、前記受信された放送信号に含まれたコンテンツに関する再生情報に基づいて、前記受信された放送信号から抽出された前記コンテンツに対して単一方式のデコーディングを行うように前記信号処理部を制御する制御部と、
を備える電子装置。
【請求項２】
前記制御部は、
前記第２放送信号からコンテンツデータ及び該コンテンツに関する再生情報を抽出し、前記再生情報から前記コンテンツデータの再生時点を抽出し、該再生時点に基づいて前記コンテンツデータに対して前記デコーディングを行うように前記信号処理部を制御する、請求項１に記載の電子装置。
【請求項３】
前記再生情報は、前記コンテンツデータの再生開始時点、前記コンテンツデータの総再生時間、前記コンテンツデータのインデックス情報、コーデック情報のうち少なくとも一つを含む、請求項２に記載の電子装置。
【請求項４】
前記コンテンツデータは、初期化セグメント、メディアセグメント、インデックスセグメントを含む、請求項２に記載の電子装置。
【請求項５】
前記制御部は、前記第２放送信号にファイルが含まれた場合、前記ファイルを抽出して実行するように前記信号処理部を制御する、請求項１に記載の電子装置。
【請求項６】
外部サーバーからネットワークを介して伝送される第３放送信号を受信する通信部をさらに備え、
前記制御部は、前記第３放送信号に含まれた再生情報に基づいて、前記外部サーバーに前記再生情報に対応するコンテンツを要請し、前記要請に対応して受信された前記コンテンツを処理するように前記信号処理部を制御する、請求項１に記載の電子装置。
【請求項７】
前記第１プロトコルはＭＭＴＰ方式を含み、前記第２プロトコルはＲＯＵＴＥ方式を含む、請求項１に記載の電子装置。
【請求項８】
電子装置の制御方法であって、
第１プロトコルの第１放送信号及び該第１放送信号とは異なる方式で伝送される第２プロトコルの第２放送信号を受信する段階と、
受信された放送信号に含まれたコンテンツを処理する段階と、
前記処理されたコンテンツを表示する段階と、
を含み、
前記受信された放送信号に含まれたコンテンツを処理する段階は、
受信された放送信号のプロトコル情報に基づいて、前記受信された放送信号が前記第１放送信号であれば、前記第１放送信号に前記第１プロトコルに対応する前処理を行い、前記受信された放送信号が前記第２放送信号であれば、前記第２放送信号に前記第２プロトコルに対応する前処理を行う段階と、
前記受信された放送信号に含まれたコンテンツに関する再生情報に基づいて、前記受信された放送信号から抽出された前記コンテンツに対して単一方式のデコーディングを行う段階とを含む、電子装置の制御方法。
【請求項９】
前記第２放送信号に前記第２プロトコルに対応する前処理を行う段階は、前記第２放送信号からコンテンツデータ及び該コンテンツに関する再生情報を抽出し、前記再生情報から前記コンテンツデータの再生時点を抽出する段階を含み、
前記デコーディングを行う段階は、前記再生時点に基づいて前記コンテンツデータに対して前記デコーディングを行う段階を含む、請求項８に記載の電子装置の制御方法。
【請求項１０】
前記再生情報は、前記コンテンツデータの再生開始時点、前記コンテンツデータの総再生時間、前記コンテンツデータのインデックス情報、コーデック情報のうち少なくとも一つを含む、請求項９に記載の電子装置の制御方法。
【請求項１１】
前記コンテンツデータは、初期化セグメント、メディアセグメント、インデックスセグメントを含む、請求項９に記載の電子装置の制御方法。
【請求項１２】
前記受信された放送信号に含まれたコンテンツを処理する段階は、前記第２放送信号にファイルが含まれた場合、前記ファイルを抽出して実行させる段階を含む、請求項８に記載の電子装置の制御方法。
【請求項１３】
外部サーバーからネットワークを介して伝送される第３放送信号を受信する段階と、
前記第３放送信号に含まれた再生情報に基づいて、前記外部サーバーに前記再生情報に対応するコンテンツを要請する段階と、
前記要請に対応して受信された前記コンテンツを処理する段階と、
をさらに含む、請求項８に記載の電子装置の制御方法。
【請求項１４】
前記第１プロトコルはＭＭＴＰ方式を含み、前記第２プロトコルはＲＯＵＴＥ方式を含む、請求項８に記載の電子装置の制御方法。
【請求項１５】
コンピューティング装置によって実行される時、前記コンピューティング装置に制御方法を実行させる一つ以上の命令を含むコンピュータプログラムを格納する非一時的コンピュータ読取り可能記録媒体あって、
前記制御方法は、
第１方式によって伝送される第１プロトコルの第１放送信号、及び前記第１方式と異なる第２方法によって伝送される第２プロトコルの第２放送信号を受信する段階と、
受信された放送信号に含まれたコンテンツを処理する段階と、
前記処理されたコンテンツを表示する段階と、を含み
前記処理する段階は、
前記受信された放送信号が前記第１放送信号である場合、前記受信された放送信号のプロトコル情報に基づいて、前記第１放送信号に前記第１プロトコルに対応する第１処理を行う段階と、
前記受信された放送信号が前記第２放送信号である場合、前記受信された放送信号のプロトコル情報に基づいて、前記第２放送信号に前記第２プロトコルに対応する第２処理を行う段階と、
前記受信された放送信号に含まれた前記コンテンツに関する再生情報に基づいて、前記受信された放送信号から抽出された前記コンテンツに対して単一方式のデコーディングを行う段階とを含む、非一時的コンピュータ読取り可能記録媒体。
【発明の詳細な説明】
【技術分野】
【０００１】
本発明は、電子装置及びその制御方法に関し、特に、様々な方式で伝送される放送信号を受信し、コンテンツを提供する電子装置及びその制御方法に関する。
【背景技術】
【０００２】
ＴＶ、セットトップボックスのような放送信号を受信できる電子装置は、地上波などを送信できる放送局などから送出された放送信号のうち、ユーザの選択したいずれか一チャネルの放送信号を受信し、コンテンツを提供する。
【０００３】
放送信号は放送局などの選択によって様々な方式で送出され、電子装置は、送出された方式に対応する方式で放送信号を受信する。
【０００４】
放送信号の伝送方式のうち、最近に研究されているＲＯＵＴＥ（Ｒｅａｌ  ｔｉｍｅ  ｏｂｊｅｃｔ  ｄｅｌｉｖｅｒｙ  ｏｖｅｒ  Ｕｎｉｄｉｒｅｃｔｉｏｎａｌ  Ｔｒａｎｓｐｏｒｔ）プロトコルは、ＤＡＳＨ（Ｄｙｎａｍｉｃ  Ａｄａｐｔｉｖｅ  ｓｔｒｅａｍｉｎｇ  ｏｖｅｒ  ＨＴＴＰ）再生機を使用するように工夫されている。ＤＡＳＨ再生機は、サーバーに保存されているメディアデータを再生するためのストリーミング技術によって、サーバーから再生情報を受信し、再生情報を用いてコンテンツを要請し、受信したコンテンツを提供する。
【０００５】
ＲＯＵＴＥプロトコルによって受信したデータをＤＡＳＨ再生機で再生するために、電子装置は内部にローカルＨＴＴＰ（Ｈｙｐｅｒｔｅｘｔ  Ｔｒａｎｓｆｅｒ  Ｐｒｏｔｏｃｏｌ）サーバーを備える必要がある。すなわち、放送信号に含まれたメディアデータと再生情報をローカルＨＴＴＰサーバーに保存し、ＤＡＳＨ再生機が再生情報を用いてローカルＨＴＴＰサーバーに接続し、メディアデータをダウンロードして提供する過程が必須である。
【０００６】
すなわち、不要な過程が追加され、オーバーヘッドが発生する問題があった。
【発明の概要】
【発明が解決しようとする課題】
【０００７】
実施例は、上述した問題及び／又は欠点、及び上述していない他の欠点の少なくとも一つに対処する。なお、これらの実施例は、上述した欠点を必ずしも克服せず、また、上述した問題の全てを克服しなくてもよい。
【０００８】
本発明は、上述した問題点を解決するためのものであり、受信した放送信号をさらに保存し、該放送信号に接近してダウンロードする不要な過程を省略することによって信号処理効率を向上させた電子装置及びその制御方法を提供する。
【課題を解決するための手段】
【０００９】
上記の課題を解決するための本発明の一実施例によれば、第１プロトコルの第１放送信号及び該第１放送信号とは異なる方式で伝送される第２プロトコルの第２放送信号を受信する受信部と、受信された放送信号に含まれたコンテンツを処理する信号処理部と、前記処理されたコンテンツを表示するディスプレイ部と、受信された放送信号のプロトコル情報に基づいて、前記受信された放送信号が前記第１放送信号であれば、前記第１放送信号に前記第１プロトコルに対応する前処理を行い、前記受信された放送信号が前記第２放送信号であれば、前記第２放送信号に前記第２プロトコルに対応する前処理を行い、前記受信された放送信号に含まれたコンテンツに関する再生情報に基づいて、前記受信された放送信号から抽出された前記コンテンツに対して単一方式のデコーディングを行うように信号処理部を制御する制御部と、を備える電子装置が提供される。これによって、電子装置の不必要な信号処理過程が省略され、信号処理効率が向上する。
【００１０】
前記制御部は、前記第２放送信号からコンテンツデータ及び該コンテンツに関する再生情報を抽出し、前記再生情報から前記コンテンツデータの再生時点を抽出し、前記再生時点に基づいて前記コンテンツデータに対して前記デコーディングを行うように前記信号処理部を制御することができる。
【００１１】
前記再生情報は、前記コンテンツデータの再生開始時点、前記コンテンツデータの総再生時間、前記コンテンツデータのインデックス情報、コーデック情報のうち少なくとも一つを含むことができる。
【００１２】
前記コンテンツデータは、初期化セグメント、メディアセグメント、インデックスセグメントを含むことができる。
【００１３】
前記制御部は、前記第２放送信号にファイルが含まれた場合、前記ファイルを抽出して実行するように前記信号処理部を制御することができる。
【００１４】
上記電子装置は、外部サーバーからネットワークを介して伝送される第３放送信号を受信する通信部をさらに備え、前記制御部は、前記第３放送信号に含まれた再生情報に基づいて、前記外部サーバーに前記再生情報に対応するコンテンツを要請し、前記要請に対応して受信された前記コンテンツを処理するように前記信号処理部を制御することができる。
【００１５】
前記第１プロトコルはＭＭＴＰ方式を含み、前記第２プロトコルはＲＯＵＴＥ方式を含むことができる。
【００１６】
上記の課題を解決するための本発明の一実施例によれば、第１プロトコルの第１放送信号及び該第１放送信号とは異なる方式で伝送される第２プロトコルの第２放送信号を受信する段階と、受信された放送信号に含まれたコンテンツを処理する段階と、前記処理されたコンテンツを表示する段階と、を含み、前記受信された放送信号に含まれたコンテンツを処理する段階は、受信された放送信号のプロトコル情報に基づいて、前記受信された放送信号が前記第１放送信号であれば、前記第１放送信号に前記第１プロトコルに対応する前処理を行い、前記受信された放送信号が前記第２放送信号であれば、前記第２放送信号に前記第２プロトコルに対応する前処理を行う段階と、前記受信された放送信号に含まれたコンテンツに関する再生情報に基づいて、前記受信された放送信号から抽出された前記コンテンツに対して単一方式のデコーディングを行う段階とを含む、電子装置の制御方法が提供される。これによって、電子装置の不必要な信号処理過程が省略され、信号処理効率が向上する。
【００１７】
前記第２放送信号に前記第２プロトコルに対応する前処理を行う段階は、前記第２放送信号からコンテンツデータ及び該コンテンツに関する再生情報を抽出し、前記再生情報から前記コンテンツデータの再生時点を抽出する段階を含み、前記デコーディングを行う段階は、前記再生時点に基づいて、前記コンテンツデータに対して前記デコーディングを行う段階を含むことができる。
【００１８】
前記再生情報は、前記コンテンツデータの再生開始時点、前記コンテンツデータの総再生時間、前記コンテンツデータのインデックス情報、コーデック情報のうち少なくとも一つを含むことができる。
【００１９】
前記コンテンツデータは、初期化セグメント、メディアセグメント、インデックスセグメントを含むことができる。
【００２０】
前記受信された放送信号に含まれたコンテンツを処理する段階は、前記第２放送信号にファイルが含まれた場合、前記ファイルを抽出して実行させる段階を含むことができる。
【００２１】
前記方法は、外部サーバーからネットワークを介して伝送される第３放送信号を受信する段階と、前記第３放送信号に含まれた再生情報に基づいて、前記外部サーバーに前記再生情報に対応するコンテンツを要請する段階と、前記要請に対応して受信された前記コンテンツを処理する段階とをさらに含むことができる。
【００２２】
前記第１プロトコルはＭＭＴＰ方式を含み、前記第２プロトコルはＲＯＵＴＥ方式を含むことができる。
【００２３】
上記の課題を解決するための本発明の一実施例によれば，コンピューティング装置によって実行される時、前記コンピューティング装置に制御方法を実行させる一つ以上の命令（ｉｎｓｔｒｕｃｔｉｏｎ）を含むコンピュータプログラムを格納する非一時的（ｎｏｎ−ｔｒａｎｓｉｔｏｒｙ）コンピュータ読取り可能記録媒体あって、前記制御方法は、第１方式によって伝送される第１プロトコルの第１放送信号、前記第１方式と異なる第２方法によって伝送される第２プロトコルの第２放送信号を受信する段階と、受信された放送信号に含まれたコンテンツを処理する段階と、前記処理されたコンテンツを表示する段階とを含む、非一時的コンピュータ読取り可能記録媒体が提供されている。前記処理する段階は、前記受信された放送信号が前記第１放送信号である場合、前記受信された放送信号のプロトコル情報に基づいて、前記第１放送信号に前記第１プロトコルに対応する第１処理を行う段階と、前記受信された放送信号が前記第２放送信号である場合、前記受信された放送信号のプロトコル情報に基づいて、前記第２放送信号に前記第２プロトコルに対応する第２処理を行う段階と、前記受信された放送信号に含まれた前記コンテンツに関する再生情報に基づいて、前記受信された放送信号から抽出された前記コンテンツに対して単一方式のデコーディングを行う段階とを含む。
【００２４】
前記非一時的コンピュータ読取り可能記録媒体はサーバーに位置し、前記コンピュータプログラムはネットワーク上で前記コンピューティング装置にダウンロードされ得る。
【発明の効果】
【００２５】
上記の通り、本発明によれば、受信した放送信号を不要な過程無しで処理し、コンテンツを提供することによって、信号処理効率を向上させることができる。
【図面の簡単な説明】
【００２６】
【図１】本発明の一実施例に係る電子装置を示す図である。
【図２】本発明の一実施例に係る電子装置のブロック図である。
【図３】本発明の一実施例に係る信号処理部の放送信号処理過程を示す図である。
【図４】本発明の一実施例による放送信号の構成を示すブロック図である。
【図５】本発明の一実施例に係る第２前処理部の詳細な動作を示す図である。
【図６】本発明の一実施例に係る電子装置の制御方法を示すフローチャートである。
【図７】本発明の一実施例に係る第３放送信号の処理過程を示す図である。
【図８】本発明の一実施例に係る第２放送信号に含まれたファイルの処理過程を示す図である。
【図９】本発明の他の実施例に係る複数のデコーダを含む信号処理部の放送信号処理過程を示す図である。
【図１０】本発明の他の実施例に係る放送信号の構成を示すブロック図である。
【発明を実施するための形態】
【００２７】
以下、添付の図面を参照して本発明に係る実施例に関して詳細に説明する。以下の実施例に関する説明では、添付の図面に記載された事項を参照するが、図面中、同一の参照番号又は符号は、実質的に同一の機能を有する構成要素を示す。
【００２８】
万一、実施例において第１構成要素、第２構成要素などのように序数を含む用語があれば、特別に表現しない限り、これらの用語は単に様々な構成要素を説明するために使われる。これらの用語は一つの構成要素を他の構成要素と区別するために使われるもので、構成要素の意味を限定するためのものではない。実施例で使用する用語は当該実施例を説明するために適用されるもので、本発明の思想を限定するものではない。
【００２９】
構成要素項目の前にある「少なくとも一つ」といった表現は、当該項目の各構成要素を修飾するものではなく、全体の構成要素項目を修飾する。例えば、「ａ、ｂ及びｃの少なくとも一つ」の表現は、ａのみ、ｂのみ、ｃのみ、ａ及びｂ、ａ及びｃ、ｂ及びｃ、若しくはａ、ｂ及びｃを含むものとして理解しなければならない。
【００３０】
図１は、本発明の一実施例に係る電子装置を示す図である。本発明の一実施例に係る電子装置１はＴＶとすることができる。本発明の他の実施例として、電子装置１は、スマートフォン、タブレット、モバイルフォン、コンピュータ、マルチメディア再生機、電子額縁、デジタル広告看板、ＬＦＤ、デジタルサイネージ、セットトップボックス、スマートウォッチ及びヘッドマウント型ディスプレイなどのウェアラブルデバイス、冷蔵庫など、ネットワーク信号を受信してコンテンツを提供できる装置としてもよいが、本発明がこれに限定されるものではない。
【００３１】
本実施例における電子装置１は、第１放送送信装置２０から第１放送信号を受信する。第１放送信号は第１プロトコル方式で送出された地上波放送信号であり得る。電子装置１は、第２放送送信装置３０から第２放送信号を受信する。第２放送信号は第２プロトコル方式で送出された地上波放送信号であり得る。電子装置１はまた、ネットワーク１０を介して第３放送送信装置４０から第３放送信号を受信する。第３放送送信装置４０はネットワークサーバーであり得る。電子装置１と第３放送送信装置４０との間のネットワーク１０の一例にはインターネットがあるが、これに限定されるものではない。第１放送信号、第２放送信号及び第３放送信号（以下、総称して‘放送信号’という。）のそれぞれは、少なくとも一つのチャネルのコンテンツプロバイダー（第１コンテンツプロバイダー又は第２コンテンツプロバイダー）が提供するコンテンツを含む。コンテンツは、実時間で提供されるＴＶ番組、ユーザの要請によって提供されるＶＯＤなどであり得るが、これに制限されるものではない。また、各放送信号はコンテンツの他にもコンテンツに関する再生情報を含むことができる。再生情報は、例えば、コンテンツの再生時点、コンテンツの再生時間、放送信号を受信するためのシグナリング情報、放送信号からコンテンツを抽出するために利用する情報、コンテンツの利用を案内するプログラムガイド情報などを含む。
【００３２】
図１に示す各コンテンツプロバイダーの数は、１つ又は２つ以上であり得る。また、各コンテンツプロバイダーはある特定のコンテンツプロバイダーを指すものではなく、第１コンテンツプロバイダー及び第２コンテンツプロバイダーは同一でも異なってもよい。例えば、「放送局Ａ」は、第１コンテンツプロバイダーとして「チャネルＡ」の第１放送信号又は第２放送信号でコンテンツを提供しながら、同時に第２コンテンツプロバイダーとして「チャネルＢ」の第３放送信号でコンテンツを提供することができる。すなわち、コンテンツプロバイダーは、異なる放送プロトコルで伝送される地上波放送信号である第１放送信号又は第２放送信号を選択してコンテンツを提供したり、ネットワーク１０を介して伝送される第３放送信号でコンテンツを提供することができる。第１放送信号の第１プロトコルはＭＭＴＰ（ＭＰＥＧ  Ｍｅｄｉａ  ｔｒａｎｓｐｏｒｔ  ｐｒｏｔｏｃｏｌ）（図４の４００参照）を含み、第２放送信号の第２プロトコルはＲＯＵＴＥ（図４の４０１参照）を含む。
【００３３】
従来技術によれば、ＲＯＵＴＥプロトコルで伝送された第２放送信号はＤＡＳＨ再生機によって再生される。ＤＡＳＨ再生機の使用のために、従来技術による電子装置は内部にローカルＨＴＴＰサーバーを備える。従来技術による電子装置は、第２放送信号に含まれたコンテンツデータと再生情報をサーバーに保存する。ＤＡＳＨ再生機は、ＨＴＴＰサーバーのＵＲＬ（ｕｎｉｆｏｒｍ  ｒｅｓｏｕｒｃｅ  ｌｏｃａｔｏｒ）及びコンテンツの再生時点に関する情報を用いてＨＴＴＰサーバーに接近しコンテンツを受信して再生するように構成される。
【００３４】
しかしながら、かかる従来技術による第２放送信号の処理方式は、サーバーに保存し、サーバーからダウンロードして再生する不要な処理過程が必然的に行われる。そこで、本発明の一実施例に係る電子装置は、従来技術の問題点を解決するためにＤＡＳＨ再生機を使用せず、第２放送信号を処理して第２放送信号に含まれたコンテンツをより効率的に提供する。
【００３５】
図２は、本発明の一実施例に係る電子装置のブロック図である。本発明の一実施例に係る電子装置１は、受信部２００、信号処理部２０１、ディスプレイ部２０３及び制御部２０７を備える。本発明の一実施例に係る電子装置１は、通信部２０５及び保存部２０９の少なくとも一つをさらに備えることができる。図２に示す本発明の一実施例に係る電子装置１は、図２に示す構成以外の構成が付加されてもよく、図２に示す構成のいずれか一つが省かれてもよい。
【００３６】
受信部２００は、第１放送送信装置２０から送出された第１放送信号又は第２放送送信装置３０から送出された第２放送信号を受信する。受信部２００は、第１放送信号又は第２放送信号を受信するためのチューナー（ｔｕｎｅｒ）を備えることができる。チューナーは、複数の第１放送信号のチャネル又は第２放送信号のチャネルのうち、ユーザによって選択されたチャネルをチューニングして受信することができる。受信部２００は、第１放送信号を受信するための第１チューナーと第２放送信号を受信するための第２チューナーを備えてもよい。電子装置１が第１放送信号を受信するか或いは第２放送信号を受信すかは、受信された放送信号のプロトコル情報によって決定される。本実施例の第１放送信号と第２放送信号は、例えばＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）３．０規格に従うブロードキャスト信号であり得る。ただし、本発明の一実施例に係る第１放送信号の規格はこれに限定されない。他の例として、受信部２００は、第１放送信号又は第２放送信号を受信するための放送信号受信装置から放送信号が伝達される形態で放送信号を受信してもよい。一例として、放送信号受信装置は電子装置１の外部に設けられ、受信部２００に接続されてもよい。放送信号受信装置は、第１放送信号又は第２放送信号を受信し、受信した放送信号を受信部２００に伝達することができる。この場合、放送信号受信装置はＵＳＢドングルの形態とし、受信部２００は、放送信号受信装置が接続されるＵＳＢコネクターとすることができる。受信部２００はまた、受信した放送信号のプロトコルに関するプロトコル情報を制御部２０７に伝達する。
【００３７】
通信部２０５はネットワーク１０に接続可能であり、第３放送送信装置４０から第３放送信号を受信する。通信部２０５は、制御部２０７の制御に応じて、ユーザによって選択されたチャネルの第３放送信号を受信する。通信部２０５は様々な規格に対応する少なくとも一つのコネクター又は端子を有する。通信部２０５は、ネットワーク１０に接続するために、ＬＡＮ（ｌｏｃａｌ  ａｒｅａ  ｎｅｔｗｏｒｋ）のような環境の有線ネットワーク通信を行うことができる。または、通信部２０５は、ネットワーク１０との接続を行うために、Ｗｉ−ｆｉ、ＵＷＭ（Ｕｌｔｒａ−ｗｉｄｅ  ｂａｎｄ）などの無線ネットワーク通信を行うことができる。通信部２０５はその他にも外部装置と無線通信を行うためにＲＦ（ｒａｄｉｏ  ｆｒｅｑｕｅｎｃｙ）信号を送受信するＲＦ回路を有することができ、ＮＦＣ（Ｎｅａｒ  Ｆｉｅｌｄ  Ｃｏｍｍｕｎｉｃａｔｉｏｎ）、Ｗｉｒｅｌｅｓｓ  ＵＳＢのうち少なくとも一つの通信を行うことができる。第３放送信号はＡＴＳＣ規格（標準）３．０に従うブロードバンド信号であり得る。ただし、本発明の一実施例に係る第３放送信号の規格はこれに限定されるものではない。
【００３８】
ユーザ入力部はユーザ入力を受信して制御部２０７に伝達する。ユーザ入力部は、ユーザ入力の方式に応じて様々な形態で具現することができ、例えば、電子装置１の外側に設置されたメニューボタン、リモートコントローラから受信されるユーザ入力のリモコン信号を受信するリモコン信号受信部、ディスプレイ部２０３に設けられてユーザのタッチ入力を感知するタッチスクリーン、ユーザのジェスチャー入力を感知するカメラ、ユーザの音声入力を認識するマイク、ユーザの動き又は位置を感知するセンサーなどとすることができる。ユーザ入力は、複数の放送信号のチャネルからいずれか一つを選択するチャネル選択命令を含む。
【００３９】
保存部２０９は、電子装置１の様々なデータを保存するように構成される。保存部２０９は、フラッシュメモリ（ｆｌａｓｈ  ｍｅｍｏｒｙ）、ＥＰＲＯＭ又はＥＥＰＲＯＭ、ハードディスクドライバーなどのような非揮発性メモリによって具現することができる。第２放送信号がファイルを含む場合、保存部２０９は、信号処理部２０１で抽出した第２放送信号のファイルを保存することができる。
【００４０】
信号処理部２０１は、制御部２０７の制御によって、受信部２００及び／又は通信部２０５で受信した放送信号に対して信号処理を行い、信号処理した信号をディスプレイ部２０３に出力することによって、ディスプレイ部２０３に出力映像を表示させる。信号処理部２０１が行う信号処理プロセスは、例えば、放送信号からコンテンツ信号、サービス情報などの抽出、抽出されたコンテンツ信号を映像、オーディオ付加データの各下位ストリームに区分するデマルチプレクシンク（ｄｅｍｕｌｔｉｐｌｅｘｉｎｇ）、インターレース（ｉｎｔｅｒｌａｃｅ）方式の映像信号をプログレッシブ（ｐｒｏｇｒｅｓｓｉｖｅ）方式の映像信号に変換するデインターレーシング（ｄｅ−ｉｎｔｅｒｌａｃｉｎｇ）、映像信号の解像度を調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを含むことができる。信号処理部２０１は、上記の信号処理プロセスを行うための少なくとも一つのプログラムを実行する少なくとも一つのプロセッサとすることができる。
【００４１】
本発明の一実施例に係る信号処理部２０１は、放送信号に含まれたコンテンツと再生情報を抽出し、再生情報に基づいてコンテンツをデコードするように構成される。コンテンツと再生情報の抽出は、放送信号のプロトコルに対応する前処理として行われ、プロトコルに関係なくコンテンツは単一方式のデコーディングが行われ得る。
【００４２】
他の例として、信号処理部２０１は、放送信号のプロトコルに対応する前処理とプロトコルに対応するデコーディングを放送信号に対して行ってコンテンツを抽出するように構成されてもよい。
【００４３】
制御部２０７は、電子装置１の諸般動作が動作するために必要な制御を行う。制御部２０７は、それらの制御動作を行うように制御するための制御プログラムと、制御プログラムが設置される非揮発性のメモリ、設置された制御プログラムの少なくとも一部がロードされる揮発性のメモリ、及びロードされた制御プログラムを実行する少なくとも一つのマイクロプロセッサ（以下、‘プロセッサ’ともいう。）或いはＣＰＵ（ｃｅｎｔｒａｌ  ｐｒｏｃｅｓｓｉｎｇ  ｕｎｉｔ）を含むことができる。制御プログラムは、ＢＩＯＳ、デバイスドライバー、運営体系、ファームウェア、プラットホーム及び応用プログラム（アプリケーション）のうち少なくとも一つの形態で具現されるプログラムを含むことができる。一実施例として、応用プログラムは、電子装置１の製造にあたって電子装置１にあらかじめ設置又は格納されてもよく、或いは将来使用時に、外部から応用プログラムのデータを受信し、受信したデータに基づいて電子装置１に設置されてもよい。応用プログラムのデータは、例えば、アプリケーションマーケットのような外部サーバーから電子装置１にダウンロードされてもよい。信号処理部２０１及び制御部２０７はそれぞれ別個のプロセッサによって具現されてもよく、或いは両構成を統合した単一のプロセッサによって具現されてもよい。または、制御部２０７に該当するプロセッサが信号処理部２０１の少なくとも一部の機能を行ってもよく、或いはその逆も可能である。
【００４４】
制御部２０７は、受信部２００から伝達される放送信号のプロトコル情報に基づいて、受信される放送信号が第１プロトコルの第１放送信号か第２プロトコルの第２放送信号かを決定する。制御部２０７は、受信した放送信号が第１放送信号であれば、第１放送信号に第１プロトコルに対応する前処理を行い、受信した放送信号が第２放送信号であれば、第２放送信号に第２プロトコルに対応する前処理を行うように信号処理部２０１を制御する。続いて、放送信号に含まれたコンテンツに対して放送信号から抽出された再生情報に基づいてデコーディングを行うように信号処理部２０１を制御する。
【００４５】
本発明によれば、電子装置１は、第１放送信号だけでなく、第２放送信号も同一の方式で処理する。このため、電子装置１の内部にローカルＨＴＴＰサーバーを用意する必要がなく、サーバーにコンテンツを保存し、再生情報を用いてダウンロードして再生するという面倒で非効率的な過程を省略することができ、信号処理の効率が向上する。
【００４６】
図３は、本発明の一実施例に係る信号処理部の放送信号処理過程を示す図である。
【００４７】
受信部２００は、受信した放送信号のプロトコル情報を制御部２０７に伝達する。制御部２０７はプロトコル情報に基づいて、受信した放送信号が第１放送信号か第２放送信号か判断する。続いて、制御部２０７は、判断に基づいて、判断されたプロトコルに対応する処理を行うように信号処理部２０１を制御する。
【００４８】
信号処理部２０１は、制御部２０７の制御によって、受信した放送信号に第１プロトコルに対応する前処理を行ったり、第２プロトコルに対応する前処理を行い、前処理した放送信号のコンテンツにデコーディングを行って出力する。そのために信号処理部２０１は第１前処理部３００、第２前処理部３０１及びデコーダ３０３を備えることができる。
【００４９】
第１前処理部３００及び第２前処理部３０１はそれぞれ、対応するプロトコルの放送信号からコンテンツを抽出し、抽出したコンテンツをデコーダ３０３に伝達する。デコーダ３０３は、各前処理部３００，３０１で抽出されたコンテンツを形式に合わせてデコードしてディスプレイ部２０３に伝達する。本実施例においてデコーダ３０３は、放送信号のプロトコルに関係なく単一のデコーディングを行う。
【００５０】
本発明の他の実施例によれば、放送信号にそれぞれ対応する複数のデコーダ３０３が設けられてもよい。これについては後述する。
【００５１】
図４は、本発明の一実施例に係る放送信号の構成を示すブロック図である。本発明の一実施例に係る放送信号は、例えば、ＡＴＳＣ３．０規格に従うことができる。本発明の一実施例に係る第１放送信号と第２放送信号はブロードキャスト信号であり、第１放送信号はＭＭＴＰプロトコル４００に対応し、第２放送信号はＲＯＵＴＥプロトコル４０１に対応する。第３放送信号はブロードバンド信号であり、ＨＴＴＰプロトコルに対応する。
【００５２】
第１放送信号と第２放送信号を受信するための情報はＳＬＴ（ｓｅｒｖｉｃｅ  ｌｉｓｔ  ｔａｂｌｅ）に含まれる。ＳＬＴは、第２放送信号の再生情報であるＭＰＤ（Ｍｅｄｉａ  ｐｒｅｓｅｎｔａｔｉｏｎ  ｄｅｓｃｒｉｐｔｉｏｎ）を含むことができる。ＭＰＤは、コンテンツ再生時点、コンテンツ再生時間、コンテンツインデックス情報及びコーデック情報などを含むことができる。信号処理部２０１は、第２放送信号のＭＰＤからコンテンツの再生時間に関する情報を抽出する。
【００５３】
信号処理部２０１は、第１放送信号が受信される場合、第１放送信号に第１プロトコルに対応する前処理を行って、コンテンツを含むＭＰＵ（Ｍｅｄｉａ  ｐｒｏｃｅｓｓｉｎｇ  ｕｎｉｔ）４０７を抽出する。第１放送信号のＭＰＵ４０７はコンテンツの再生時間に関する情報を含むことができる。信号処理部２０１は、第２放送信号が受信される場合、第２放送信号に第２プロトコルに対応する前処理を行って、コンテンツを含むセグメント４０９を抽出する。次いで、信号処理部２０１はＭＰＵ４０７又はセグメント４０９にデコーディングを行い、デコードされたコンテンツをディスプレイ部２０３に伝達する。信号処理部２０１は、ＭＰＵ４０７又はセグメント４０９に対して、各放送信号のプロトコルに対応して得られたコンテンツの再生情報に基づいてデコーディングを行うことができる。
【００５４】
第２放送信号のセグメント４０９は、ＩＳＯＢＭＦＦ（ＩＳＯ  ｂａｓｅ  ｍｅｄｉａ  ｆｉｌｅ  ｆｏｒｍａｔ）であり、ｆｔｙｐボックスとｍｏｏｖボックスが含まれたｉｎｉｔセグメント、及びメディアデータが含まれたメディアセグメントを含む。ｉｎｉｔセグメントは常に一定のインデックス値を有し、メディアセグメントはインデックス値が１ずつ増加する。ｉｎｉｔセグメントとメディアセグメントとが合わせられてこそ再生可能なコンテンツとなる。
【００５５】
図４に示すように、受信された第１放送信号と第２放送信号はいずれも同一のデコーダ４１１で単一デコーディング方式によってデコードされ得る。デコードされたコンテンツはディスプレイ部２０３から提供される。
【００５６】
図５は、本発明の一実施例に係る第２前処理部の詳細な動作を示す図である。第２前処理部３０１は、パーシング部５００、メディアデータ処理部５０１、再生情報処理部５０３及びバッファ５０５を備えることができる。同図は本発明の一実施例に係る第２前処理部３０１の構成を限定するためのものではない。同図の第２前処理部３０１の各構成要素は省略されてもよく、図示していない構成が付加されてもよい。
【００５７】
パーシング部５００は、第２放送信号に含まれたメディアデータとシグナリングデータを抽出して提供する。メディアデータ処理部５０１は、伝達されてきたメディアデータからメディアセグメントとｉｎｉｔセグメントを抽出し、メディアセグメントをバッファ５０５に伝達する。
【００５８】
再生情報処理部５０３は、シグナリングデータ及びメディアデータから再生情報を抽出し、再生情報に基づいてコンテンツの再生時点に関する情報を抽出する。再生情報処理部５０３は、抽出された再生時点に関する情報をバッファ５０５に伝達する。
【００５９】
バッファ５０５は、再生時点に関する情報を用いて、再生されるべき時点のメディアセグメントをデコーダ３０３に伝達する。
【００６０】
すなわち、本発明によれば、ＭＰＤ（Ｍｅｄｉａ  Ｐｒｅｓｅｎｔａｔｉｏｎ  Ｄｅｓｃｒｉｐｔｉｏｎ）を用いて、ＨＴＴＰサーバーにコンテンツを要請しなくても、受信した放送信号からコンテンツ及び再生時点を抽出し、コンテンツを再生時点に合わせて提供することができ、よって、メディアデータ及び再生情報をサーバーに保存し、サーバーに接近してコンテンツをダウンロードするといった不要な段階を省略することができる。
【００６１】
図６は、本発明の一実施例に係る電子装置の制御方法を示すフローチャートである。まず、動作Ｓ６００において、受信部２００は、第１プロトコルの第１放送信号又は該第１放送信号とは異なる方式で伝送される第２プロトコルの第２放送信号を受信する。次いで、動作Ｓ６０１において、制御部２０７は、受信された放送信号のプロトコル情報に基づいて、当該受信された放送信号が第１放送信号か第２放送信号かを判断する。制御部２０７の判断に基づいて、受信された放送信号が第１放送信号であれば、動作Ｓ６０２において、信号処理部２０１は制御部２０７の制御に基づいて、受信された第１放送信号に第１プロトコルに対応する前処理を行う。受信された放送信号が第２放送信号であれば、動作Ｓ６０３において、信号処理部２０１は制御部２０７の制御に基づいて、受信された第２放送信号に第２プロトコルに対応する前処理を行う。最後に、動作Ｓ６０４において、信号処理部２０１は制御部２０７の制御に応じて、放送信号に含まれたコンテンツの再生情報に基づいて前処理して抽出されたコンテンツに対して単一方式のデコーディングを行う。
【００６２】
図７は、本発明の一実施例に係る第３放送信号の処理過程を示す図である。
【００６３】
第３放送信号はブロードバンド信号であり、ＨＴＴＰプロトコルで伝送できるということを上述した。第３放送送信装置４０は、ネットワーク１０を介して第３放送信号を送信でき、電子装置１は、第３放送信号を受信するために通信部２０５を備える。第３放送信号は、ＤＳＬ（Ｄｉｇｉｔａｌ  Ｓｕｂｓｃｒｉｂｅｒ  Ｌｉｎｅ）、光通信、ケーブル、セルラー、無線ネットワーク及び衛星などによって伝送することができる。本発明の一実施例によってブロードバンドを介した第３放送信号は、コンテンツとコンテンツの再生情報を含む。第３放送信号の送受信は、実際のコンテンツを含む伝送パケットの送受信と、コンテンツの再生情報の送受信とに分けられる。電子装置１は、コンテンツの再生情報を受信し、コンテンツを含む伝送パケットを受信する。コンテンツの再生情報はコンテンツの再生のために必要な情報であり、コンテンツ再生のために必要な空間情報及び時間情報の少なくとも一つを含む。コンテンツの再生情報は、コンテンツを含む伝送パケットを受信するために必要なシグナリング情報も含む。再生情報は、伝送パケットを受信できるサーバーのＵＲＬアドレスを含んでもよい。電子装置１はコンテンツの再生情報に基づいてコンテンツを受信し、再生する。
【００６４】
第３放送信号の一例として、電子装置１は、第３放送送信装置４０であるサーバーから通信部２０５を介して再生情報であるＭＰＤを受信する。図７にはＭＰＤとコンテンツを伝送するサーバーがいずれも第３放送送信装置４０であるとしているが、これに限定されない。ＭＰＤを伝送するサーバーとコンテンツを伝送するコンテンツサーバーとが異なってもよい。
【００６５】
電子装置１は、受信されたＭＰＤに基づいて第３放送送信装置４０にコンテンツを要請する。電子装置１は要請に対応してコンテンツを含む伝送パケットを受信する。次いで、制御部２０７は、ＭＰＤに基づいてコンテンツを処理し再生するように信号処理部２０１及びディスプレイ部２０３を制御する。コンテンツの再生のために電子装置１はＤＡＳＨクライアントを備えることができる。
【００６６】
図８は、本発明の一実施例に係る第２放送信号に含まれたファイルの処理過程を示す図である。
【００６７】
第２放送信号は、ＮＲＴ（ｎｏｎ−ｒｅａｌ  ｔｉｍｅ）ファイルを含むことができる。ＮＲＴファイルは、メディアデータと同様に、ＵＤＰ、ＩＰレイヤを経てカプセル化して伝送される。制御部２０７は、受信された放送信号のプロトコル情報に基づいて、受信された放送信号が第２放送信号か否かを判断し、シグナリング情報に基づいて、第２放送信号に含まれたコンテンツがＮＲＴファイルか否かを判断する。
【００６８】
制御部２０７は、第２放送信号に含まれたコンテンツが実時間メディアコンテンツである場合、前述したように再生時点情報を抽出し、メディアセグメントを抽出し、再生時点情報に基づいてメディアセグメントをデコードして再生するように動作する。
【００６９】
制御部２０７は、第２放送信号に含まれたコンテンツがＮＲＴファイルである場合、含まれたファイルを抽出し、実行し、実行に基づいてコンテンツをディスプレイ部２０３に表示したり、保存部２０９に保存するよう、信号処理部２０１を制御する。
【００７０】
図９は、本発明の他の実施例に係る複数のデコーダを含む信号処理部の放送信号処理過程を示す図であり、図１０は、本発明の他の実施例に係る放送信号の構成を示すブロック図である。
【００７１】
制御部２０７は、受信された放送信号のプロトコル情報に基づいて、受信部２００から受信された放送信号が第１放送信号か第２放送信号かを判断する。次いで、判断に基づいて各放送信号のプロトコルに対応する前処理を行うように信号処理部２０１を制御する。
【００７２】
信号処理部２０１は、制御部２０７の制御に基づいて、受信された放送信号に第１前処理又は第２前処理を行う。このために、信号処理部２０１は第１前処理部９００と第２前処理部９０１を備える。
【００７３】
受信された放送信号が第１放送信号の場合、第１放送信号は第１前処理部９００で前処理される。次に、第１放送信号のコンテンツは第１デコーダ９０３でデコードされ、ディスプレイ部２０３に伝達される。
【００７４】
受信された放送信号が第２放送信号の場合、第２放送信号は第２前処理部９０１で前処理される。第２前処理部９０１は、第２放送信号からメディアデータとシグナリングデータを抽出するパーシング部５００、メディアデータを処理してメディアセグメントを抽出しバッファ５０５に伝達するメディアデータ処理部５０１、シグナリングデータの再生情報に基づいてコンテンツの再生時点を抽出してバッファ５０５に伝達する再生情報処理部５０３、及び再生時点に基づいてメディアセグメントを第２デコーダ９０５に伝達するバッファ５０５を備える。第２デコーダ９０５は、第２前処理部９０１のバッファ５０５からメディアセグメントを受信してデコーディングを行い、デコードされた第２放送信号のコンテンツをディスプレイ部２０３に伝達する。
【００７５】
図１０は、各放送信号がプロトコルに対応するデコーダ１０００，１００１によってデコードされ得ることを示す放送信号のブロック図である。
【００７６】
以上、例示の図面を参照して本発明の実施例を説明してきたが、本発明の属する技術の分野における通常の知識を有する者は、本発明がその技術的思想や必須の特徴を外れることなく他の具体的な形態で実施され得ることが理解できよう。したがって、以上に記述した実施例はいずれの面においても例示的なものであり、限定的でないものと理解すべきである。
【図１】
2020511826.tif 000003
【図２】
2020511826.tif 000004
【図３】
2020511826.tif 000005
【図４】
2020511826.tif 000006
【図５】
2020511826.tif 000007
【図６】
2020511826.tif 000008
【図７】
2020511826.tif 000009
【図８】
2020511826.tif 000010
【図９】
2020511826.tif 000011
【図１０】
2020511826.tif 000012
【国際調査報告】
2020511826.tif 000013
2020511826.tif 000014